(57)【要約】      （修正有）【課題】無線ＬＡＮインタフェース等を用いることができない場合でも、パソコン等を介することなく携帯端末等から印刷の処理を行うことが可能となる画像形成装置を提供する。【解決手段】携帯端末と無線又はケーブルを介して接続する画像形成装置であって、ケーブルを介して接続する際には、接続先機器を制御するように構成されている制御部と、携帯端末から、印刷データと、携帯端末が無線での接続に失敗した際に生成される設定情報とを取得する取得部と、を有し、ケーブルを介して携帯端末を接続する際に、設定情報を取得した場合、制御部は、印刷の設定に関する情報を含む設定情報に従って印刷を実行する。【選択図】図８
2016168683.tif 000002
【特許請求の範囲】
【請求項１】
携帯端末と無線又はケーブルを介して接続する画像形成装置であって、
前記ケーブルを介して接続する際には、接続先機器を制御するように構成されている制御部と、
前記携帯端末から、印刷データと、前記携帯端末が無線での接続に失敗した際に生成される設定情報とを取得する取得部と、を有し、前記ケーブルを介して前記携帯端末を接続する際に、前記設定情報を取得した場合、前記制御部は、印刷の設定に関する情報を含む前記設定情報に従って印刷を実行する画像形成装置。
【請求項２】
前記制御部は、
前記無線を介して前記携帯端末と接続している場合には、前記携帯端末に記憶されている前記設定情報に従って印刷の設定を行わない請求項１に記載の画像形成装置。
【請求項３】
前記画像形成装置のＵＳＢホスト機能を介して、前記携帯端末から取得した前記設定情報に従って印刷を実行する請求項１又は２に記載の画像形成装置。
【請求項４】
画像形成装置と無線又はケーブルを介して接続する携帯端末であって、
前記画像形成装置への印刷の設定に関する情報を含む設定情報を生成する生成部と、
前記画像形成装置と前記無線で接続する接続部と、
前記無線での接続に失敗した場合、前記画像形成装置と前記ケーブルで接続することを促す通知をする通知部と、
印刷データを記憶する記憶部と、を有し、
前記接続部が前記画像形成装置と前記無線での接続に失敗した場合、前記記憶部は前記設定情報を記憶する携帯端末。
【請求項５】
前記無線での接続に失敗した場合、前記接続部は、
前記ケーブルを介して前記画像形成装置と接続し、
前記記憶部に記憶された前記設定情報に基づいて前記画像形成装置に印刷の設定を指示する請求項４に記載の携帯端末。
【請求項６】
前記接続部が、前記ケーブルを介した接続が切断されたことを検知すると、前記記憶部に記憶されている前記設定情報が削除される請求項５に記載の携帯端末。
【請求項７】
無線又はケーブルを介して、携帯端末と、画像形成装置とを有する画像形成システムであって、
前記携帯端末は、
前記画像形成装置への印刷の設定に関する情報を含む設定情報を生成する生成部と、
前記画像形成装置と前記無線又は前記ケーブルを介して接続する接続部と、
前記無線での接続に失敗した場合、前記画像形成装置と前記ケーブルで接続することを促す通知をする通知部と、
印刷データを記憶する記憶部と、を有し、
前記画像形成装置は、
前記携帯端末から、印刷データ及び前記設定情報を取得する取得部、を有し、
前記接続部が前記画像形成装置と前記無線での接続に失敗した場合、前記記憶部は前記設定情報を記憶し、
前記取得部が前記ケーブルを介して記憶されている前記設定情報と前記印刷データとを取得した場合、前記設定情報に従って印刷を実行する画像形成システム。
【請求項８】
情報処理端末に画像形成装置との間で通信をさせるためのプログラムであって、
前記情報処理端末に、
印刷データを記憶するステップと、
前記画像形成装置への印刷の設定に関する情報を含む設定情報を生成するステップと、
前記画像形成装置と無線で接続するステップと、
前記無線での接続に失敗した場合、
前記画像形成装置とケーブルで接続することを促す通知をするステップと、
前記設定情報を記憶するステップと、を実行させるプログラム。
【請求項９】
前記無線での接続に失敗した場合、前記ケーブルを介して前記画像形成装置と接続するステップと、
記憶された前記設定情報に基づいて前記画像形成装置に印刷の設定を指示するステップと、を実行させる請求項８に記載のプログラム。
【発明の詳細な説明】
【技術分野】
【０００１】
本発明は、画像形成装置、携帯端末、画像形成システム、及び、プログラムに関する。
【背景技術】
【０００２】
プリンタや複合機等の画像形成装置の設定をパソコン、携帯端末（例えば、スマートフォン、タブレット）から行う製品が普及している。このような画像形成装置では、外部接続インタフェースとして有線ＬＡＮ（Ｌｏｃａｌ  Ａｒｅａ  Ｎｅｔｗｏｒｋ）をサポートせず、無線ＬＡＮ、ＵＳＢ（Ｕｎｉｖｅｒｓａｌ  Ｓｅｒｉａｌ  Ｂｕｓ）デバイス、及び、ＵＳＢホストの外部接続インタフェースを介して接続する場合が多い。
【０００３】
なお、ＵＳＢには、ＵＳＢデバイス機能と、ＵＳＢホスト機能が規定されており、ＵＳＢホスト機能を有する機器がＵＳＢホストとして動作し、ＵＳＢデバイスを制御する。一方、ＵＳＢデバイス機能を有する機器は、ＵＳＢホストからの制御に従って動作する。
【０００４】
このような画像形成装置を用いる際に、無線ＬＡＮインタフェースを用いることができない場合が想定される。例えば、２．４ＧＨｚの無線通信は、電子レンジが近くに設置されている場合には電波干渉により無線ＬＡＮインタフェースを用いることができない。
【０００５】
この場合には、携帯端末はＵＳＢホスト機能を有していない場合が多いため、ＵＳＢホスト機能を有するパソコンに印刷データを転送し、パソコンを、画像形成装置のＵＳＢデバイスインタフェースに接続して、パソコンから印刷の指示をする。
【０００６】
画像形成処理装置のＵＳＢホストインタフェースを保守時の認証等に用いるケースは知られているものの（例えば、特許文献１）、画像形成処理装置のＵＳＢホストインタフェースを介して、携帯端末等から印刷の指示をすることについては、実施されていない。
【０００７】
このため、上述のように、携帯端末に印刷データを保存している場合には、一旦パソコンに印刷データを移動してから、印刷の処理を行う必要があった。
【発明の概要】
【発明が解決しようとする課題】
【０００８】
携帯端末から、画像形成装置に無線ＬＡＮインタフェース等を介して接続できない場合には、例えば携帯端末からパソコンに印刷データを移動後に、パソコンから印刷処理を行う必要があり、操作性が悪くなるという問題点があった。
【課題を解決するための手段】
【０００９】
本実施形態に係る画像形成装置は、携帯端末と無線又はケーブルを介して接続する画像形成装置であって、前記ケーブルを介して接続する際には、接続先機器を制御するように構成されている制御部と、前記携帯端末から、印刷データと、前記携帯端末が無線での接続に失敗した際に生成される設定情報とを取得する取得部と、を有し、前記ケーブルを介して前記携帯端末を接続する際に、前記設定情報を取得した場合、前記制御部は、印刷の設定情報を含む前記設定情報に従って印刷を実行する。
【発明の効果】
【００１０】
無線ＬＡＮインタフェース等を用いることができない場合でも、パソコン等を介することなく携帯端末等から印刷の処理を行うことが可能となる。
【図面の簡単な説明】
【００１１】
【図１】本実施形態に係る画像形成システムの一例を説明する図である。
【図２】本実施形態に係る画像形成装置のハードウェア構成の一例を示す図である。
【図３】本実施形態に係る携帯端末のハードウェア構成の一例を示す図である。
【図４】本実施形態に係る画像形成装置の機能構成の一例を示す図である。
【図５】本実施形態に係る携帯端末の機能構成の一例を示す図である。
【図６】本実施形態に係る携帯端末の表示部の表示の一例を示す図である。
【図７】本実施形態に係る携帯端末の動作フローの一例を説明するための図である。
【図８】本実施形態に係る画像形成装置の動作フローの一例を説明するための図である。
【図９】本実施形態に係る携帯端末の動作フローの一例を説明するための図である。
【発明を実施するための形態】
【００１２】
以下、本発明の実施の形態について説明する。
【００１３】
＜第１実施形態＞
＜システム全体構成＞
図面を参照して本実施形態に係るシステム全体構成を説明する。図１は、本実施形態に係る画像形成システム１の一例を説明する図である。
【００１４】
画像形成システム１は、印刷等の処理を行う画像形成装置３と、画像形成装置３に対して印刷の指示をする携帯端末２と、パソコン４とを有する。
【００１５】
画像形成装置３は有線ＬＡＮインタフェースを具備していない。携帯端末２、及び、パソコン４は無線ＬＡＮ、又は、ＵＳＢケーブルを用いて画像形成装置３と接続する。なお、無線ＬＡＮを用いて接続する場合、画像形成装置３と携帯端末２等は直接接続されてもよいし、無線ＬＡＮ  ＡＰ（Ａｃｃｅｓｓ  Ｐｏｉｎｔ）５を介して接続されてもよい。
【００１６】
＜ハードウェア構成＞
図２及び図３を用いて本実施形態に係る画像形成装置３と携帯端末２のハードウェア構成を説明する。
【００１７】
（１）画像形成装置
図２は、本実施形態に係る画像形成装置３のハードウェア構成の一例を示す図である。画像形成装置３は、コントローラ２００と、操作部２２０と、画像読取部２３０と、プロッター部２４０と、ＦＡＸ通信部２５０とを有する。
【００１８】
コントローラ２００は、ＣＰＵ（Ｃｅｎｔｒａｌ  Ｐｒｏｃｅｓｓｉｎｇ  Ｕｎｉｔ）２０１と、ＲＡＭ（Ｒａｎｄｏｍ  Ａｃｃｅｓｓ  Ｍｅｍｏｒｙ）２０２と、ＲＯＭ（Ｒｅａｄ−Ｏｎｌｙ  Ｍｅｍｏｒｙ）２０３と、操作部Ｉ／Ｆ（Ｉｎｔｅｒｆａｃｅ、インタフェース）２０４と、ＵＳＢホストＩ／Ｆ２０５と、ＵＳＢデバイスＩ／Ｆ２０６と、無線ＬＡＮ  Ｉ／Ｆ２０７とを有する。
【００１９】
ＣＰＵ２０１は、画像形成装置３が行う各処理のための演算、制御を行う。例えばＣＰＵ２０１は、各種のプログラムを実行する。なお、ＣＰＵ２０１は、並列処理によって高速化を行うために、複数のＣＰＵ、デバイス、または複数のコア（ｃｏｒｅ）から構成されていてもよい。
【００２０】
ＲＡＭ２０２とＲＯＭ２０３は、記憶装置の例である。ＲＯＭ２０３は、例えばＣＰＵ２０１が実行するプログラム、データ、またはパラメータを記憶する。ＲＡＭ２０２は、例えばＣＰＵ２０１がプログラムを実行する際、プログラム、プログラムが使用するデータ、プログラムが生成するデータ、またはパラメータなどを記憶する。なお、画像形成装置３は、ハードディスクなど補助記憶装置を有してもよい。
【００２１】
操作部Ｉ／Ｆ２０４は、操作部２２０からの画像形成装置３に対する各種処理を受け付け、ＣＰＵ２０１に受け付け内容を通知する。ＣＰＵ２０１は、操作部Ｉ／Ｆ２０４を介して受け取った画像形成装置３への指示に対応する制御を実行する。
【００２２】
ＵＳＢホストＩ／Ｆ２０５は、画像形成装置３がＵＳＢホストＩ／Ｆ２０５を介して接続された機器を画像形成装置３が制御する際に用いられる。例えば、携帯端末２がＵＳＢケーブルを用いてＵＳＢホストＩ／Ｆ２０５に接続される場合、若しくは、ＵＳＢメモリ６がＵＳＢホストＩ／Ｆ２０５に接続される場合、画像形成装置３のＣＰＵ２０１は接続されているこれらの機器に対して、ＵＳＢホストＩ／Ｆ２０５を介して制御を行う。
【００２３】
ＵＳＢデバイスＩ／Ｆ２０６は、画像形成装置３がＵＳＢデバイスＩ／Ｆ２０６を介して接続された機器から制御される際に用いられる。例えば、パソコン４がＵＳＢケーブルを用いてＵＳＢデバイスＩ／Ｆ２０６に接続される場合、画像形成装置３のＣＰＵ２０１は、パソコン４からＵＳＢデバイスＩ／Ｆ２０６を介して制御を受ける。
【００２４】
無線ＬＡＮ  Ｉ／Ｆ２０７は、無線ＬＡＮを介して、パソコン４、携帯端末２と接続する際に用いられる。パソコン４、携帯端末２は直接、無線ＬＡＮ  Ｉ／Ｆ２０７と接続してもよいし、無線ＬＡＮ  ＡＰ５を接続してもよい。画像形成装置３のＣＰＵ２０１は無線ＬＡＮ  Ｉ／Ｆ２０７を介して、パソコン４、携帯端末２から各種制御を受ける、或いは、パソコン４、携帯端末２に対して各種制御を行う。
【００２５】
画像読取部２３０は、画像形成装置３でスキャナの機能を提供する際に用いられる。
【００２６】
プロッター部２４０は、コントローラ２００からの指示に従って印刷処理を行う。
【００２７】
ＦＡＸ通信部２５０は、画像形成装置３を用いてＦＡＸの送受信機能を提供する際に用いられる。
【００２８】
画像形成装置３をプリンタとして用いる場合には、画像読み取り部２３０とＦＡＸ通信部２５０とは動作しない。
【００２９】
（２）携帯端末
図３は、本実施形態に係る携帯端末２のハードウェア構成の一例を示す図である。
【００３０】
携帯端末２は、ＣＰＵ３０１と、ＲＡＭ３０２と、ＲＯＭ３０３と、入力装置３０４と、表示装置３０５と、ＵＳＢデバイスＩ／Ｆ３０６と、無線ＬＡＮ  Ｉ／Ｆ３０７とを有する。
【００３１】
ＣＰＵ３０１は、携帯端末２が行う各処理のための演算、制御を行う。例えばＣＰＵ３０１は、各種のプログラムを実行する。なお、ＣＰＵ３０１は、並列処理によって高速化を行うために、複数のＣＰＵ、デバイス、または複数のコア（ｃｏｒｅ）から構成されていてもよい。
【００３２】
ＲＡＭ３０２とＲＯＭ３０３は、記憶装置の例である。ＲＯＭ３０３は、例えばＣＰＵ３０１が実行するプログラム、データ、またはパラメータを記憶する。ＲＡＭ３０２は、例えばＣＰＵ３０１がプログラムを実行する際、プログラム、プログラムが使用するデータ、プログラムが生成するデータ、またはパラメータなどを記憶する。なお、携帯端末２は、ハードディスクなど補助記憶装置を有してもよい。
【００３３】
入力装置３０４は、いわゆるタッチパネル、周辺回路などである。また、入力装置３０４は、キーボードでもよい。入力装置３０４の入力内容に従ってＣＰＵ３０１は携帯端末２を動作させる。
【００３４】
表示装置３０５は、ディスプレイであり、画像形成装置３との処理内容の表示を行う。
【００３５】
ＵＳＢデバイスＩ／Ｆ３０６は、携帯端末２がＵＳＢデバイスＩ／Ｆ３０６を介して接続された機器から制御される際に用いられる。例えば、パソコン４がＵＳＢケーブルを用いてＵＳＢデバイスＩ／Ｆ３０６に接続される場合、携帯端末２のＣＰＵ３０１は、パソコン４からＵＳＢデバイスＩ／Ｆ３０６を介して制御を受ける。また、ＵＳＢデバイスＩ／Ｆ３０６を介してパソコン４などから電源供給を受けることもできる。ホストコネクタであるＵＳＢ  Ｔｙｐｅ−Ａをパソコン４等に接続することが一般的である。
【００３６】
なお、本実施形態に係る、携帯端末２はＵＳＢホストＩ／Ｆを有していないため、ＵＳＢケーブルを他の機器に接続し、接続先の機器に対してＵＳＢホストとして動作することはできない、つまり接続先の機器をＵＳＢケーブルを用いて制御することができない。
【００３７】
無線ＬＡＮ  Ｉ／Ｆ３０７は、無線ＬＡＮを介して、画像形成装置３と接続する際に用いられる。画像形成装置３は直接、無線ＬＡＮ  Ｉ／Ｆ２０７と接続してもよいし、無線ＬＡＮ  ＡＰ５を接続してもよい。携帯端末２のＣＰＵ３０１は無線ＬＡＮ  Ｉ／Ｆ３０７を介して、画像形成装置３から各種制御を受ける、或いは、画像形成装置３に対して各種制御を行う。
【００３８】
＜機能構成＞
（１）画像形成装置
図４は、本実施形態に係る画像形成装置３の機能構成の一例を示す図である。本実施形態に係る画像形成装置３は、制御部４０１と、ＵＳＢホスト部４０２と、ＵＳＢデバイス部４０３と、印刷部４０４と、接続部４０５とを有する。
【００３９】
制御部４０１は、携帯端末２、パソコン４からの指示を受け、印刷部４０４と連携して、印刷に係る各種処理を行う。
【００４０】
ＵＳＢホスト部４０２は、画像形成装置３がＵＳＢホストとして、ＵＳＢケーブルを介して接続されている機器を制御する際に用いられる機能である。
【００４１】
ＵＳＢホストとして動作する際には、画像形成装置３は、接続されている機器を制御するが、本実施形態に係る画像形成装置３では、ＵＳＢホストとして動作している場合でも、接続されている機器の指示に基づいて動作する場合がある。例えば、画像形成装置３がＵＳＢホストとして動作している際に、印刷データと、印刷の設定に係る指示情報である設定情報とを携帯端末２、若しくは、ＵＳＢメモリ６から取得した場合、ＵＳＢホスト部４０２は、設定情報の内容に従って、制御部４０１と、印刷部４０４と連携して印刷処理を実行する。
【００４２】
ＵＳＢデバイス部４０３は、画像形成装置３が、ＵＳＢケーブルを介して接続されている機器から制御されるＵＳＢデバイスとして動作する際に用いられる機能である。例えば、パソコン４と画像形成装置３がＵＳＢケーブルを介して接続され、パソコン４がＵＳＢホストとなり、画像形成装置３がＵＳＢデバイスとなる場合、ＵＳＢデバイス部４０３が動作する。
【００４３】
ＵＳＢデバイス部４０３は、制御部４０１と連携して、接続されているＵＳＢホストからの指示に従って、画像形成装置３を制御する。
【００４４】
印刷部４０４は、制御部４０１からの指示に従って印刷の処理を実行する。
【００４５】
接続部４０５は、画像形成装置３と携帯端末２、パソコン４などを接続する。接続部４０５は、画像形成装置３がＵＳＢホストとして動作するＵＳＢホスト接続と、画像形成装置３がＵＳＢデバイスとして動作するＵＳＢデバイス接続と、無線ＬＡＮを介しての接続である無線ＬＡＮ接続とを行う機能を提供する。
【００４６】
接続部４０５は、制御部４０１と、ＵＳＢホスト部４０２と、ＵＳＢデバイス部４０３と連携して印刷に係る各種処理を実行する。
【００４７】
（２）携帯端末
図５は、本実施形態に係る携帯端末２の機能構成の一例を示す図である。本実施形態に係る携帯端末２は、制御部５０１と、接続部５０２と、記憶部５０３と、表示部５０４と、ＵＳＢデバイス部５０５とを有する。
【００４８】
制御部５０１は、携帯端末２の制御及び、画像形成装置３への指示を行う。画像形成装置３に印刷を指示する際には、印刷の設定を指示する設定情報を生成する。設定情報には、カラー、モノクロの印刷モード、印刷枚数、印刷する対象となるファイル、印刷先の画像形成装置３を指定する情報等が含まれる。
【００４９】
接続部５０２は、携帯端末２と画像形成装置３などとを接続する。接続部５０２は、無線ＬＡＮを介しての接続である無線ＬＡＮ接続、携帯端末２がＵＳＢホストからの制御を受けるＵＳＢデバイス接続を行う機能を提供する。
【００５０】
記憶部５０３は、印刷データ、設定情報を記憶する。なお、設定情報は、パソコン４等で編集できる汎用フォーマットであることが好ましい。生成した設定情報と印刷データをパソコン４等に移した際にも、容易に画像形成装置３に対して印刷を指示することができるためである。
【００５１】
表示部５０４は、ユーザに対して各種情報の表示をする。図６に表示部５０４の表示の一例を示す。
【００５２】
例えば、図６（ａ）に示すように、ユーザが記憶部５０３に記憶されている印刷データを印刷するための動作を開始したことを携帯端末２が認識した場合、画像形成装置３の設定用アプリの画面を表示し、ユーザに印刷に必要な情報を指定することを促す。例えば、印刷モード、印刷ファイル、印刷する対象となるファイル、印刷先の画像形成装置３の情報の指定を促す。
【００５３】
また、例えば、無線ＬＡＮで画像形成装置３と接続することに失敗した場合、無線ＬＡＮで画像形成装置３に接続できなかった旨を表示し、ＵＳＢケーブルを用いた接続を実行することを促す。
【００５４】
ＵＳＢデバイス部５０５は、制御部５０１と連携して、接続されているＵＳＢホストからの指示に従って、携帯端末２を制御する。パソコン４とＵＳＢケーブルを用いて接続する際には、パソコン４から各種指示を受け付けて、指示に応じた制御を制御部５０１と連携して行う。
【００５５】
また、画像形成装置３とＵＳＢケーブルを用いて接続し、ＵＳＢデバイスとして動作する際には、制御部５０１と連携して、記憶部５０３に格納されている印刷データと、設定情報を画像形成装置３に通知する。
【００５６】
なお、無線ＬＡＮで画像形成装置３と接続している際には、記憶部５０３に保存されている設定情報を参照して印刷データの印刷指示を行わない方が好ましい。無線ＬＡＮで接続している場合には、ユーザが携帯端末２に印刷の指示を直接行うことが可能なためである。また、これにより、記憶部５０３に古い設定情報が残っている場合に、古い設定情報に基づいて印刷を実行するのを避けることができる。
【００５７】
また、接続部５０２は、ＵＳＢケーブルを用いた画像形成装置３との接続が切断されたこと、若しくは、印刷が完了したことを検知し、制御部５０１若しくはＵＳＢデバイス部５０５に通知し、通知を受けた制御部５０１若しくはＵＳＢデバイス部５０５は、記憶部５０３に設定情報の削除をするように指示してもよい。或いは、表示部５０４に、ユーザに設定情報の削除を促す表示をさせてもよい。不要な設定情報を削除することにより記憶部５０３のメモリを節約できる。
＜動作手順＞
図７乃至９を用いて、本実施形態に係る動作手順を説明する。
【００５８】
（１）携帯端末の動作（その１）
図７は、本実施形態に係る携帯端末２の動作フローの一例を説明するための図である。
【００５９】
ステップＳ７０１で、携帯端末２にて、画像形成装置３の設定用アプリケーションが起動される。
【００６０】
ステップＳ７０２で、携帯端末２は、画像形成装置３の設定用アプリケーションの設定が完了したか確認する。具体的には、携帯端末２は、ユーザによる図６（ａ）に示す設定用アプリケーションの入力を完了し、印刷先の画像形成装置３が特定されたか確認する。設定が完了している場合（Ｙ）には、ステップＳ７０３に進む。設定が完了していない場合（Ｎ）には、ステップＳ７０２の確認に関する処理を継続する。
【００６１】
ステップＳ７０３で、携帯端末２は、無線ＬＡＮで画像形成装置３と接続できたか確認する。接続を確認できない場合（Ｎ）は、ステップＳ７０４に進む。接続を確認できた場合（Ｙ）はステップＳ７０６に進む。
【００６２】
ステップＳ７０４で、携帯端末２は、ユーザが指定した設定アプリケーションの設定を設定情報として記憶部５０３に保存する。
【００６３】
ステップＳ７０５で、携帯端末２は、表示部５０４にＵＳＢでの接続を促す表示をする。例えば、図６（ｂ）に示すようなメッセージを表示部５０４に示す。
【００６４】
一方、無線ＬＡＮで画像形成装置３と接続できた場合、ステップＳ７０６で、携帯端末２は、ユーザによる印刷開始指示を有効化する。例えば、携帯端末２は、設定アプリケーションの「印刷開始」ボタンを有効化する。
【００６５】
ステップＳ７０７で、携帯端末２は、印刷開始指示を検出する。印刷開始指示を検出した場合（Ｙ）には、ステップＳ７０８に進む。印刷開始指示を検出できない場合（Ｎ）にはステップＳ７０７に戻る。
【００６６】
ステップＳ７０８で、携帯端末２は、画像形成装置３に設定情報と印刷データとを送信する。画像形成装置３は、携帯端末２から設定情報と印刷データとを受信すると、設定情報に従って印刷データの印刷を行う。
【００６７】
（２）画像形成装置の動作
図８は、本実施形態に係る画像形成装置３の動作フローの一例を説明するための図である。図８は画像形成装置３と携帯端末２がＵＳＢケーブルで接続されている際の動作を説明するための図である。
【００６８】
ここで、ＵＳＢケーブルは画像形成装置３のＵＳＢホストＩ／Ｆ２０５と携帯端末２のＵＳＢデバイスＩ／Ｆ３０６間に接続され、画像形成装置３がＵＳＢホストとして動作し、携帯端末２はＵＳＢデバイスとして動作する。
【００６９】
ステップＳ８０１で、画像形成装置３は、ＵＳＢケーブルを介して携帯端末２と接続されたか検出する。ＵＳＢケーブルの接続が検出された場合（Ｙ）には、ステップＳ８０２に進む。ＵＳＢケーブルの接続が検出されない場合（Ｎ）には、ステップＳ８０１のＵＳＢケーブルの接続検出に関する処理を継続する。
【００７０】
ステップＳ８０２で、画像形成装置３は、携帯端末２の記憶部５０３内のデータを読み込む。
【００７１】
ステップＳ８０３で、画像形成装置３は、読み込んだデータに設定情報が含まれるか確認する。設定情報が含まれない場合（Ｎ）には処理を終了する。一方、設定情報を含む場合（Ｙ）にはステップＳ８０４に進む。
【００７２】
ステップＳ８０４で、画像形成装置３は、設定情報を読み込み、印刷の設定条件、例えばカラー、モノクロの指定、印刷枚数等を特定する。また、画像形成装置３は、設定情報から、印刷する対象の印刷データを特定する。
【００７３】
ステップＳ８０５で、画像形成装置３は、設定情報で指定されている印刷データの読み込みを行う。
【００７４】
ステップＳ８０６で、画像形成装置３は、印刷データを設定情報に従って印刷する。
【００７５】
上述したように、本実施形態に係る画像形成装置３によれば、ＵＳＢホストＩ／Ｆ２０５を介して携帯端末から取得した設定情報に従って印刷データを印刷することにより、携帯端末２がＵＳＢデバイスＩ／Ｆ３０６しかサポートしていない場合であっても、ユーザが携帯端末２に指示した内容で印刷を実行することができる。
【００７６】
（３）携帯端末の動作（その２）
図９は、本実施形態に係る携帯端末２の動作フローの一例を説明するための図である。図９は画像形成装置３と携帯端末２がＵＳＢケーブルで接続されている際の動作を説明するための図である。
【００７７】
ステップＳ９０１で、携帯端末２は、ＵＳＢケーブルの接続断の検出を行う。検出できた場合（Ｙ）には、ステップＳ９０２に進む。検出できない場合（Ｎ）ステップＳ９０１のＵＳＢケーブルの接続断の検出に関する処理を継続する。
【００７８】
ステップＳ９０２で、携帯端末２は、ユーザに設定情報を削除するように通知する。具体的には表示部５０４に、設定情報の削除を促す表示をする。
【００７９】
ステップＳ９０３で、携帯端末２は、ユーザからの設定情報の削除指示を受け付ける。削除指示を受け付けた場合（Ｙ）、例えば、ユーザが表示部５０４に表示している「設定情報削除ボタン」を押した場合、ステップＳ９０４に進む。一方、ユーザからの削除指示を受け付けなかった場合（Ｎ）には、処理を終了する。
【００８０】
ステップＳ９０４で、携帯端末２は、ユーザからの指示を受けて設定情報を記憶部５０３から削除する。
【００８１】
これにより、記憶部５０３から設定情報を削除し、記憶部５０３の容量を節約することができる。例えば、ＵＳＢケーブルを介した印刷が正常に完了し、ＵＳＢケーブルを取り外したことを契機に、設定情報を削除することができる。
【００８２】
また、記憶部５０３の容量の節約に加えて、不要な設定情報が残ることにより誤って印刷済みの印刷データが、印刷されてしまうことを避けることができる。
【００８３】
なお、図９の例では、ＵＳＢケーブルの接続断の検出をトリガに、設定情報の削除をユーザに促す動作を開始しているが、正常に印刷が完了したことをトリガにユーザに設定情報の削除を促す動作を開始してもよい。
＜その他＞
上述した実施形態では、スマートフォン、タブレット等の携帯端末２を例に説明したが、携帯端末２に限らず設定情報と印刷データとを保持する機器であれば同様の手順を実施できることは勿論である。例えば、ＵＳＢメモリ６に設定情報と印刷データを格納し、画像形成装置３のＵＳＢホストＩ／Ｆ２０５に接続しても、画像形成装置３は設定情報に従って印刷データを印刷可能である。
【００８４】
以上、本発明の好ましい実施形態について説明したが、本発明はこうした実施形態に限定されるものではなく、本発明の要旨を逸脱しない範囲内において種々の変形及び置換を加えることができる。
【符号の説明】
【００８５】
１    画像形成システム
２    携帯端末
３    画像形成装置
４    パソコン
４０１    制御部（画像形成装置）
４０２    ＵＳＢホスト部
４０３    ＵＳＢデバイス部（画像形成装置）
４０４    印刷部
４０５    接続部（画像形成装置）
５０１    制御部（携帯端末）
５０２    接続部（携帯端末）
５０３    記憶部
５０４    表示部
５０５    ＵＳＢデバイス部（携帯端末）
【先行技術文献】
【特許文献】
【００８６】
【特許文献１】特開２００７−７９６９３号公報
【図１】
2016168683.tif 000003
【図２】
2016168683.tif 000004
【図３】
2016168683.tif 000005
【図４】
2016168683.tif 000006
【図５】
2016168683.tif 000007
【図６】
2016168683.tif 000008
【図７】
2016168683.tif 000009
【図８】
2016168683.tif 000010
【図９】
2016168683.tif 000011